(57)【要約】【課題】  エレベーターの改装中に、そのエレベーターの異常表示をさせないようにしたエレベーター監視装置を得る。【解決手段】  エレベーター制御装置５とプロトコル変換装置４により構成された各バンクに対応して接続された複数のバンク毎通信手段を有するサーバー装置２により、各バンクのエレベーターの運行状況を受信し、このサーバー装置２にイーサネット（登録商標）１０を介して接続されたクライアント装置３で、各バンクのエレベーターの運行状況を表示すると共に、入力装置により入力されたエレベーターへの制御指令を対象とするバンクのエレベーター制御装置５に送信し、サーバー装置２は、バンク切り放し制御装置１により、バンク切り放し指令が出されたときは、サーバー装置２と該当するバンクとの接続を切断するようにした。【選択図】図１
2006193274.tif 000002
【特許請求の範囲】
【請求項１】
エレベーターの運行を制御するエレベーター制御装置をそれぞれ有する複数のバンク、各バンクに対応して接続された複数のバンク毎通信手段により、各バンクのエレベーターの運行状況を受信し、この受信したエレベーターの運行状況に基づき監視を行うサーバー装置、上記サーバー装置に接続され、上記サーバー装置が受信した各バンクの上記エレベーターの運行状況を表示すると共に、入力装置により入力された上記エレベーターへの制御指令を上記サーバー装置を介して対象とするバンクのエレベーター制御装置に送信するクライアント装置、及び上記サーバー装置に接続され、バンク毎の切り放しを行うバンク切り放し指令及びその解除指令を上記サーバー装置に送信するバンク切り放し制御装置を備え、上記サーバー装置は、上記バンク切り放し制御装置から上記バンク切り放し指令を受信したときは、上記サーバー装置と上記バンク切り放し指令が対象とするバンクとの接続を切断すると共に、この切断されたバンクのエレベーターの運行状況の監視を停止することを特徴とするエレベーター監視装置。
【請求項２】
上記バンク切り放し制御装置は、表示画面上で、上記バンクを選択することにより、この選択されたバンクに対して、上記バンク切り放し指令を上記サーバー装置に送信することを特徴とする請求項１記載のエレベーター監視装置。
【請求項３】
上記サーバー装置は、上記バンク切り放し制御装置から上記バンク切り放し指令を受信したときは、上記バンク切り放し指令を上記クライアント装置に送信し、上記クライアント装置は、上記バンク切り放し指令に該当するバンクの切り放しを表示することを特徴とする請求項１または請求項２記載のエレベーター監視装置。
【請求項４】
上記クライアント装置は、上記バンク切り放し指令が出されているバンクのエレベーターへの制御指令の送信を停止することを特徴とする請求項３記載のエレベーター監視装
置。
【発明の詳細な説明】
【技術分野】
【０００１】
この発明は、改装中または工事中のエレベーターがある状態で、エレベーターの監視を行うエレベーター監視装置に関するものである。
【背景技術】
【０００２】
従来のエレベーターの監視装置においては、例えば特許文献１に示されるものがある。この従来装置は、複数のエレベーターの運行を制御する群管理制御装置を含むエレベーター制御装置と、このエレベーター制御装置からの運行データを受信してエレベーターの運行状況を監視する運行監視装置と、この運行監視装置の制御下の運行状況を表示するモニタとを備え、エレベーターの運行状況を連続してモニタに表示させるようにしている。
【０００３】
【特許文献１】特開２００４−１８９３５８号公報（第３〜８頁、図１）
【発明の開示】
【発明が解決しようとする課題】
【０００４】
従来のエレベーター監視装置においては、エレベーターの運行状況を連続して監視する状態となっているため、エレベーターが正常な状態では、エレベーターの現在の運行状況をモニタに表示し、エレベーターが異常な状態では、エレベーターが異常であることをモニタに表示する。
しかし、ビルの一部のエレベーターを改装するために、エレベーター制御装置を停止してしまうと、モニタにはエレベーターの異常が発生したと表示されてしまうという問題点があった。これは、例えばエレベーターの改装が長期に亘って行われるとき、このような異常を常に検知している状態となる。また監視員は、実際に異常が発生しているのかエレベーターの改装中であるのかを知ることができないという問題点もあった。
【０００５】
この発明は、上述のような課題を解決するためになされたものであり、エレベーターの改装中に、そのエレベーターの異常表示が行われないようにしたエレベーター監視装置を得ることを目的としている。
【課題を解決するための手段】
【０００６】
この発明に係わるエレベーター監視装置においては、エレベーターの運行を制御するエレベーター制御装置をそれぞれ有する複数のバンク、各バンクに対応して接続された複数のバンク毎通信手段により、各バンクのエレベーターの運行状況を受信し、この受信したエレベーターの運行状況に基づき監視を行うサーバー装置、サーバー装置に接続され、サーバー装置が受信した各バンクのエレベーターの運行状況を表示すると共に、入力装置により入力されたエレベーターへの制御指令をサーバー装置を介して対象とするバンクのエレベーター制御装置に送信するクライアント装置、及びサーバー装置に接続され、バンク毎の切り放しを行うバンク切り放し指令及びその解除指令をサーバー装置に送信するバンク切り放し制御装置を備え、サーバー装置は、バンク切り放し制御装置からバンク切り放し指令を受信したときは、サーバー装置とバンク切り放し指令が対象とするバンクとの接続を切断すると共に、この切断されたバンクのエレベーターの運行状況の監視を停止するものである。
【発明の効果】
【０００７】
この発明は、以上説明したように、エレベーターの運行を制御するエレベーター制御装置をそれぞれ有する複数のバンク、各バンクに対応して接続された複数のバンク毎通信手段により、各バンクのエレベーターの運行状況を受信し、この受信したエレベーターの運行状況に基づき監視を行うサーバー装置、サーバー装置に接続され、サーバー装置が受信した各バンクのエレベーターの運行状況を表示すると共に、入力装置により入力されたエレベーターへの制御指令をサーバー装置を介して対象とするバンクのエレベーター制御装置に送信するクライアント装置、及びサーバー装置に接続され、バンク毎の切り放しを行うバンク切り放し指令及びその解除指令をサーバー装置に送信するバンク切り放し制御装置を備え、サーバー装置は、バンク切り放し制御装置からバンク切り放し指令を受信したときは、サーバー装置とバンク切り放し指令が対象とするバンクとの接続を切断すると共に、この切断されたバンクのエレベーターの運行状況の監視を停止するので、改装中のエレベーターの監視を一時的に停止して監視の対象から切り放すことにより、改装中のエレベーターの異常表示が行われないようにすることができる。
【発明を実施するための最良の形態】
【０００８】
実施の形態１．
図１は、この発明の実施の形態１によるエレベーター監視装置を示す構成図である。
図１において、各バンク毎に、複数のエレベーターの運行を制御する群管理制御装置を含むエレベーター制御装置５と、エレベーター制御装置５毎の監視盤との通信プロトコルの違いを吸収するプロトコル変換装置４を有する。プロトコル変換装置４は、イーサネット（登録商標）１０により、バンク切り放し制御装置１と、サーバー装置２と、クライアント装置３に接続されている。
サーバー装置２は、各プロトコル変換装置４から送信されたエレベーターの運行状況を受信して処理を行う。クライアント装置３は、エレベーターの運行状況の表示制御とエレベーターの制御指令を行う。バンク切り放し制御装置１は、バンク毎に改装中であることを指定し、またその指定の解除を行う。
【０００９】
図２は、この発明の実施の形態１によるエレベーター監視装置の別の構成を示す構成図である。
プロトコル変換装置４とサーバー装置２とクライアント装置３とバンク切り放し制御装置１の接続方法としては、図１で示されるように、プロトコル変換装置４とサーバー装置２とクライアント装置３とバンク切り放し装置１とを同一のイーサネット（登録商標）１０に配置する接続の他、図２で示されるように、サーバー装置２を中心として、サーバー装置２とプロトコル変換装置４を接続するイーサネット（登録商標）１２と、サーバー装置２とクライアント装置３及びバンク切り放し制御装置１とを接続するイーサネット（登録商標）１１とを分けるようにしてもよい。
【００１０】
図３は、この発明の実施の形態１によるエレベーター監視装置のさらに別の構成を示す構成図である。
また、図３で示されるように、サーバー装置２を中心として、サーバー装置２とプロトコル変換装置４及びバンク切り放し制御装置１とを接続するイーサネット（登録商標）１４と、サーバー装置２とクライアント装置３とを接続するイーサネット（登録商標）１３とを分ける接続方法をとってもよい。
【００１１】
図４は、この発明の実施の形態１によるエレベーター監視装置の詳細を示すブロック図である。
図４において、サーバー装置２は、クライアント装置３に運行状況やバンク切り放し状態を送信する、クライアント装置へのデータ送信手段１９と、バンク切り放し制御装置１から送信されたデータをクライアント装置３と該当バンクのバンク毎通信手段１７に振り分ける、データ振り分け手段１８と、各バンクのプロトコル変換装置１６と通信を行う、バンク数分のバンク毎通信手段１７を有する。
また、クライアント装置３には、画像表示装置２１及び入力装置２２が接続され、バンク切り放し制御装置１には、画像表示装置２４及び入力装置２５が接続されている。
クライアント装置３は、エレベーターが改装中であることを画像表示装置２１に表示させる、表示制御手段２０を有する。この表示制御手段２０には、マウスやキーボードなどの入力装置２２から信号が入力される。
バンク切り放し制御装置１は、入力装置２５から入力された改装中のエレベーターを切り放すための指令をサーバー装置２に送信するバンク切り放し制御手段２３を有する。このバンク切り放し制御手段２３は、現在のバンクの切り放し状況を画像表示装置２４に表示する。
【００１２】
なお、バンク切り放し制御装置１は、バンク切り放し制御手段２３をサーバー装置２に組み込まれるように構成されてもよい。
【００１３】
図５は、この発明の実施の形態１によるエレベーター監視装置のバンク切り放し制御装置によって画面表示装置に表示される画面を示す図である。
図５において、バンク切り放し制御装置１によって画面表示装置に表示される画面には、ビルの全てのバンクを選択できるバンク選択部分２７があり、例えば、あるバンクが選択されると、バンク選択部分２７の該当するバンクにチェックマーク２８が表示される。すでにチェックマーク２８が表示されているバンクは、現在改装中のために切り放されているバンクであることを示している。また画面は、送信ボタン２６を有し、送信ボタン２６をマウスなどの入力装置２５でクリックすると、現在チェックマーク２８が表示されているバンクにバンク切り放し指令を送信し、チェックの入っていないバンクにバンク切り放し解除指令を送信する。
図６は、この発明の実施の形態１によるエレベーター監視装置のバンク毎通信手段の処理を示すフローチャートである。
【００１４】
次に、動作について説明する。
このように構成されたエレベーター監視装置においては、例えばバンク１でエレベーターの改装工事を開始するとき、バンク切り放し制御装置１にて、画面表示装置２４の画面で、バンク１を選択し、チェックマーク２８を出現させる。バンク１にチェックマーク２８が入っている状態で、この画面の送信ボタン２６をマウスなどの入力装置２５によってクリックすると、バンク切り放し制御手段２３が、バンク１のバンク切り放し指令をサーバー装置２に送信する。
サーバー装置２は、バンク切り放し制御手段２３からのバンク切り放し指令を受信したとき、データ振り分け手段１８により、バンク１に対応するバンク毎通信手段１７ａへバンク切り放し指令を送信する。これと同時にクライアント装置へのデータ送信手段１９へバンク切り放し指令を送信する。
【００１５】
このバンク切り放し指令を受信したバンク１に対応するバンク毎通信手段１７ａは、図６に示されるフローチャートにしたがって処理を行う。
バンク１に対応するバンク毎通信手段１７ａは、データ振り分け手段１８からバンク１のバンク切り放し指令を受信する（ステップＳ２９）と、バンク毎通信手段１７ａの状態をバンク切り放し状態とし（ステップＳ３０）、それまで通常に接続していたバンク１のプロトコル変換装置４との接続を切る（ステップＳ３１）。その後、運行状態の監視を停止する（ステップＳ３２）。
これにより、サーバー装置２及びプロトコル変換装置４間の通信状態の監視も停止されるため、前述の両者間の通信が異常となっても無視されることとなる。
【００１６】
その後、バンク１に対応するバンク毎通信手段１７ａは、現在発生している異常状態の復旧信号をデータ振り分け手段１８に送信（ステップＳ３３）し、データ振り分け手段１８は、同信号をクライアント装置へのデータ送信手段１９へと送信し、クライアント装置３にバンク１の異常信号の復旧を送信する。これにより、クライアント装置３の画像表示装置２１では、バンク１の異常表示が復旧される。
【００１７】
一方、クライアント装置３では、バンク１のバンク切り放し指令を受信したとき、表示制御手段２０にて、画像表示装置２０のバンクの状態を示す部分に対して、現在バンク１のエレベーターの改装中であることを示す、例えば“工事中”などの表示を行う。これにより、監視員が、どのバンクが現在改装中であるかを、画像表示装置２１を見ることによって知ることができる。
また、このとき表示制御手段２０は、現在改装中のエレベーターであるバンク１の運行制御に関する制御指令操作を全てできないようにすることによって、改装中のエレベーターへの運行制御指令が送信されないようにする。
【００１８】
バンク１のエレベーターの改装が終了して、今まで改装中であったバンク１のエレベーターの監視を開始するときは、バンク切り放し制御装置１にて、バンク１を選択してチェックマーク２８をはずす。バンク１にチェックマークが入っていない状態で、送信ボタン２６をマウスなどの入力装置２５によって実行させると、バンク切り放し制御手段２３が、バンク１のバンク切り放し解除指令をサーバー装置２に送信する。
サーバー装置２は、バンク切り放し制御手段２３からのバンク切り放し解除指令を受信したとき、データ振り分け手段１８により、バンク１に対応するバンク毎通信手段１７ａへバンク切り放し解除指令を送信する。これと同時にクライアントへのデータ送信手段１９へバンク切り放し解除指令を送信する。
【００１９】
図６のように、バンク１に対応するバンク毎通信手段１７ａは、データ振り分け手段１８からバンク１のバンク切り放し解除指令を受信した（ステップＳ３４）とき、それまで接続を切っていたバンク１のプロトコル変換装置１６との接続を確立する（ステップＳ３５）。その後バンク１のエレベーターの運行状態の監視を開始（ステップＳ３６）し、通常状態となる。
【００２０】
一方、クライアント装置３では、バンク１のバンク切り放し解除指令を受信したとき、表示制御手段２０にて、画像表示装置２１のバンクの状態を示す部分に対して、今まで表示されていた現在バンク１のエレベーターが改装中であることを示す“工事中”の表示を消し、通常どおりの監視画面となる。
また、このとき表示制御手段２０は、現在、改装中のエレベーターであるバンク１の運行制御に関する制御指令操作を全て操作可能にすることによって、通常どおりにバンク１も運行制御を行うことが可能となる。
【００２１】
これまで、バンク１のエレベーターを改装する際の例を元に説明を記してきたが、エスカレーターのバンクを含む他の全てのバンクについても同様な動作が成立することは言うまでもない。
【００２２】
実施の形態１によれば、改装中のエレベーターの監視を一時的に停止して監視の対象から切り放すことによって、画像表示装置のモニタ画面に異常を表示させないようにすることが可能になる。
また、画像表示装置のモニタ画面には、エレベーター改装中であることを示す表示がなされるため、監視員も改装中であることを知ることが可能となる。これにより、エレベーターの改装中に、監視員がそのエレベーターが異常ではなく、改装中であることを知ることができる。
【図面の簡単な説明】
【００２３】
【図１】この発明の実施の形態１によるエレベーター監視装置を示す構成図である。
【図２】この発明の実施の形態１によるエレベーター監視装置の別の構成を示す構成図である。
【図３】この発明の実施の形態１によるエレベーター監視装置のさらに別の構成を示す構成図である。
【図４】この発明の実施の形態１によるエレベーター監視装置を示すブロック図である。
【図５】この発明の実施の形態１によるエレベーター監視装置のバンク切り放し制御装置によって画面表示装置に表示される画面を示す図である。
【図６】この発明の実施の形態１によるエレベーター監視装置のバンク毎通信手段の処理を示すフローチャートである。
【符号の説明】
【００２４】
１  バンク切り放し制御装置、２  サーバー装置、３  クライアント装置、
４  プロトコル変換装置、５  エレベーター制御装置、
１０〜１４  イーサネット（登録商標）、１７  バンク毎通信手段、
１８  データ振り分け手段、１９  クライアント装置へのデータ送信手段、
２０  表示制御装置、２１  画像表示装置、２２  入力装置、
２３  バンク切り放し制御手段、２４  画像表示装置、２５  入力装置、
２６  送信ボタン、２７  バンク選択部分、２８  チェックマーク。
【図１】
2006193274.tif 000003
【図２】
2006193274.tif 000004
【図３】
2006193274.tif 000005
【図４】
2006193274.tif 000006
【図５】
2006193274.tif 000007
【図６】
2006193274.tif 000008